(57)【要約】【課題】顔に装着したときの感触を良くして快適に使用できる玩具面を提供する。全体を軽くしながら、割れるのを防止して安全に使用できる玩具面を提供する。【解決手段】玩具面は、面体１の略外形に裁断してなる不織布製の本体シート２の表面に、複数の不織布製の装飾パーツ３を固定して面体１を構成している。さらに、玩具面は、この面体１を装着状態に保持するための装着部材４を備える。【効果】面体を不織布で成形することにより、装着したときの感触を改善できる。通気性を向上して極めて快適に使用できる。割れるのを防止して、安心して安全に使用できる。【選択図】　図１
2004091994.tif 000002
【特許請求の範囲】
【請求項１】
面体（１）の略外形に裁断してなる不織布製の本体シート（２）の表面に、複数の不織布製の装飾パーツ（３）を固定してなる面体（１）と、この面体（１）を装着した状態に保持するための装着部材（４）とを備える玩具面。
【請求項２】
装着部材（４）が、面体（１）の背面側に配設されてなる背面シート（５）である請求項１に記載される玩具面。
【請求項３】
装着部材（４）が、面体（１）の両側に固定してなる連結紐材（７）である請求項１に記載される玩具面。
【請求項４】
装飾パーツ（３）を本体シート（２）に縫着している請求項１に記載される玩具面。
【請求項５】
装飾パーツ（３）を本体シート（２）に脱着自在に連結している請求項１に記載される玩具面。
【請求項６】
本体シート（２）の内側表面に保護層（９）を設けている請求項１に記載される玩具面。
【請求項７】
本体シート（２）の内側表面に合成樹脂発泡体層を設けて保護層（９）としている請求項６に記載される玩具面。
【請求項８】
本体シート（２）と装飾パーツ（３）のいずれかまたは両方が着色されている請求項１に記載される玩具面。
【請求項９】
面体（１）がキャラクターを模した外観である請求項１に記載される玩具面。
【発明の詳細な説明】
【０００１】
【発明の属する技術分野】
本発明は、顔または頭に装着して使用される玩具面に関する。
【０００２】
【従来の技術】
玩具面は、種々のキャラクターを模して製作されている。この種の玩具面は、子供が顔に装着してそのキャラクターになりきって遊んだり、大人がパーティーやゲーム等で使用している。従来の玩具面は、面体の外面がキャラクターの立体形状になるように、プラスチックを成形して製作される。この構造の玩具面は、薄いプラスチックで成形されるので、極めて軽く、安価に多量生産できる特長がある。
【０００３】
【発明が解決しようとする課題】
ただ、従来の玩具面は、プラスチックで成形しているので、通気性が悪く、また内側表面が硬いので顔に装着したときに顔面にフィットせず、感触が悪い欠点がある。また、この玩具面は、プラスチックを薄く成形しているので、割れやすい欠点がある。割れた玩具面は外観が悪くなって使用できなくなるばかりか、割れ口でけがをする恐れがあり危険である。割れるのを防止するためにプラスチックを厚く成形すると、全体が重くなると共に、製造コストが高くなって安価に多量生産できなくなる。さらに、厚いプラスチックで成形された玩具面は、顔に装着したときの感触を改善することができない。
【０００４】
本発明は、このような欠点を解決することを目的に開発されたものである。本発明の重要な目的は、顔に装着したときの感触を良くして快適に使用できる玩具面を提供することにある。
さらに、本発明の他の重要な目的は、全体を軽くしながら、割れるのを防止して安全に使用できる玩具面を提供することにある。
【０００５】
【課題を解決するための手段】
本発明の玩具面は、面体１の略外形に裁断してなる不織布製の本体シート２の表面に、複数の不織布製の装飾パーツ３を固定して面体１を構成している。さらに、玩具面は、この面体１を装着した状態に保持するための装着部材４を備える。
【０００６】
装着部材４は、面体１の背面側に配設してなる背面シート５とすることができる。さらに、装着部材４は、面体１の両側に固定してなる連結紐材７とすることもできる。装飾パーツ３は、本体シート２に縫着することができる。装飾パーツ３は、本体シート２に脱着自在に連結することもできる。本体シート２は、内側表面に保護層９を設けることができる。本体シート２は、内側表面に合成樹脂発泡体層を設けて保護層９とすることができる。本体シート２と装飾パーツ３は、いずれかまたは両方を着色して所定の色彩とすることができる。面体１は、キャラクターを模した外観とすることができる。
【０００７】
【発明の実施の形態】
以下、本発明の実施例を図面に基づいて説明する。ただし、以下に示す実施例は、本発明の技術思考を具体化するための玩具面を例示するものであって、本発明は玩具面を下記のものに特定しない。
【０００８】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【０００９】
図１と図２に示す玩具面は、不織布製の本体シート２の表面に、複数の不織布製の装飾パーツ３を固定して、所定の外観の面体１を構成している。本体シート２は、面体１の本体部分を構成するものであり、面体１の外形を大筋で決定している。装飾パーツ３は、玩具面の特徴を決定する各部分のパーツである。したがって、装飾パーツ３は、たとえば、目、鼻、口、耳等の要素を構成するパーツである。ただ、面体１は、図３に示すように、本体シート２に装飾パーツ３を連結した状態で外形が決定される場合もある。面体１は、たとえば、キャラクターを模した外観となるように製作される。図１の面体１は、所望のキャラクターの外形を模した形状の本体シート２に、このキャラクターを特徴づける目、鼻、ひげを構成する装飾パーツ３を固定して所定の外観としている。
【００１０】
本体シート２と装飾パーツ３は、不織布を所定の形状に裁断したものである。不織布は、繊維を立体的に方向性なく集合して、所定の厚さに結合したものである。繊維は、ナイロンやポリエステル等の合成繊維、あるいは天然繊維とすることができる。不織布の厚さは、たとえば、１〜３０ｍｍ、好ましくは、５〜１０ｍｍとすることができる。
【００１１】
不織布である本体シート２と装飾パーツ３は、たとえば、逢着して連結される。装飾パーツ３を本体シート２の表面に逢着する構造は、これらの連結部分を局部的に硬化させることなく、いいかえると連結部分を柔らかくできる特長がある。ただ、装飾パーツ３は、接着剤で接着して、あるいは熱溶着して本体シート２の表面に固定することもできる。このように、逢着あるいは接着して本体シート２に装飾パーツ３を固定してなる面体１は、装飾パーツ３が剥離するのを確実に防止して、長期間にわたって所定の外観に保持できる。
【００１２】
さらに、面体１は、必ずしも全ての装飾パーツ３を剥離しないように本体シート２に固定する必要はなく、一部の装飾パーツ３を脱着できるように本体シート２に連結することもできる。たとえば、面体１は、キャラクターの外観を特定する要素である、目、鼻、口、耳等の主要な装飾パーツ３を逢着や接着等によって本体シート２に固定し、装飾的な要素の強い、眼鏡、リボン、帽子等の装飾パーツ３を脱着自在に連結できる構造として、着せ替え的な要素を備えることもできる。このように、脱着できる装飾パーツ３は、脱着連結具を介して本体シート２に連結する。脱着連結具には、面ファスナー、ホック、フック、ボタン等が使用できる。
【００１３】
以上のように、本体シート２の表面に装飾パーツ３を配設する面体１は、面体１の本体部分を構成する本体シート２に対して、装飾パーツ３を立体的に配置できるので、よりリアルにキャラクター等の雰囲気を再現して、優れた外観の玩具面を実現できる特長がある。
【００１４】
本体シート２と装飾パーツ３は、いずれかまたは両方を所定の色に着色している。この面体１は、着色された不織布からなる本体シート２と装飾パーツ３とを連結して所定の色彩に仕上げることができる。したがって、本体シート２と装飾パーツ３とを連結した後に着色することなく、極めて簡単に所定の色彩にできる。しかも、塗布する塗料で玩具面の表面が硬化したり、経時的に塗料が剥離するのを有効に防止できる特長もある。
【００１５】
さらに、図２の一部拡大断面図に示す玩具面は、面体１の本体シート２の内側表面に保護層９を設けている。保護層９は、面体１を顔に装着したときの感触を緩和するものである。面体１は、本体シート２の内側表面に布地を逢着または接着して保護層９とすることができる。保護層９となる布地には、綿、絹、毛等の天然繊維や合成繊維の織物が使用できる。本体シート２に保護層９を備える玩具面は、面体１を顔に装着した状態での感触をよくできる特長がある。
【００１６】
さらに、本体シート２の内側表面に設ける保護層９は、合成樹脂発泡体層とすることもできる。合成樹脂発泡体層は、不織布の表面に合成樹脂を塗布すると共に、この合成樹脂を発泡させて設けることができる。この本体シート２は、金型を開いて成形室に不織布を固定すると共に、合成樹脂を注入して発泡させる。金型の内部で発泡した合成樹脂を硬化させて本体シート２の内側表面に合成樹脂発泡体層を設ける。この合成樹脂発泡体層は、柔軟な保護層９とすることができる。内側表面に柔軟層である合成樹脂発泡体層を備える面体１は、顔に装着した状態での感触をよくできる特長がある。ただ、不織布は、本体シートの両面に合成樹脂発泡体層を設けることもできる。この本体シートは、外側表面の感触をもよくできる特長がある。さらに、本体シートの両面に合成樹脂発泡体層を設ける構造は、内面側の合成樹脂の発泡倍率を、外面側の発泡倍率よりも高くして内面側を柔軟な保護層とすることができる。
【００１７】
合成樹脂発泡体層を構成する合成樹脂発泡体は、不織布と一緒に弾性変形する可撓性を有するもので、たとえば、連続気泡のウレタンフォーム、ＥＶＡ発泡体、ポリエチレン発泡体、軟質ポリ塩化ビニル発泡体を使用する。とくに、ウレタンフォームとＥＶＡ発泡体は、耐摩耗性とクッション性に優れているので、合成樹脂発泡体として最適である。このように、可撓性を有する合成樹脂発泡体層は、力を加えると自由に変形できるので、面体１を顔に装着したとき、顔面にフィットして不快感や圧迫感を少なくできる。さらに、可撓性を有する本体シート２は、コンパクトに折り畳んで便利に持ち運びできる特長もある。
【００１８】
さらに、本体シート２は、密度が異なる複数の不織布を積層して製作することもできる。この本体シート２は、密度の高い不織布が外側面となって、密度の低い不織布が内側面となるように積層する。この本体シート２は、内側面を外側面よりも柔軟にできる。積層される複数の不織布は、逢着して、あるいは接着して、あるいはまた熱溶着して結合することができる。このように、密度が異なる複数の不織布を積層して成形してなる面体１は、内面側と外面側との物性を理想的な状態にできる特長がある。
【００１９】
さらに、面体１は、図３に示すように、目の部分に貫通孔８を開口することもできる。目の部分に貫通孔８を開口している玩具面は、装着した状態で外部を視認できる特長がある。さらに、面体は、図示しないが、口や鼻に対向する部分に貫通孔を開口することもできる。この部分に貫通孔を有する玩具面は、この貫通孔を換気口に併用できるので、顔面に装着した状態で、息苦しさを解消できる特長がある。とくに、口の部分に貫通孔を開口している玩具面は、装着した状態で言葉をはっきりを伝えることができると共に、息が玩具面の内側でこもって本体シートの内面が湿るのを有効に防止できる。ただ、本発明の玩具面は、本体シートを不織布で構成しているので、従来のプラスチックで成形される玩具面に比較して充分な通気性を有する。したがって、必ずしも口や鼻に対向する部分に貫通孔を開口する必要はない。
【００２０】
さらに、玩具面は、面体１を顔や頭等に装着した状態に保持するために、装着部材４を備える。図２に示す玩具面は、装着部材４として、面体１の背面に背面シート５を配設している。背面シート５は、不織布を本体シート２とほぼ等しい外形に裁断したものである。不織布製の背面シート５は、下側部分を除く周縁部、すなわち両側縁部と上縁部とを本体シート２に連結して、玩具面全体を袋状に成形している。この形状の玩具面は、下側に設けられた開口部６を広げて頭にかぶることができる。互いに連結される本体シート２と背面シート５に使用する不織布には、好ましくは、伸縮性のあるものを使用する。袋状の開口部６を広げて頭等に装着しやすくするためである。伸縮性のある不織布は、本体シート２と背面シート５のいずれか一方または両方に使用することができる。
【００２１】
不織布である背面シート５と本体シート２は、互いの周縁部を逢着して連結できる。ただ、背面シート５と本体シート２は、周縁部を接着剤で接着して、あるいは熱溶着して互いに連結固定することも、あるいは、ファスナー等の連結具を介して脱着できるように連結することもできる。さらに、背面シート５は、内側表面に保護層を設けることもできる。背面シート５の保護層は、前述の本体シート２の保護層９と同様の構造で設けることができる。
【００２２】
さらに、図３に示す玩具面は、装着部材４として、本体シート２の両側縁部に連結紐材７を連結している。図に示す連結紐材７は、本体シート２の両側縁部を連結してなるゴム紐である。ゴム紐である連結紐材７は、伸縮性を有するので、本体シート２に連結する連結紐材７として最適である。連結紐材７をゴム紐とする玩具面は、面体１を顔や頭に装着した状態でゴム紐を引っ張って頭の後方に回して面体１を定位置に保持できる。さらに、ゴム紐を使用する連結紐材は、図示しないが、本体シートの両側縁部に独立して設けてなる環状ゴムとすることもできる。この玩具面は、両側に設けた一対の環状ゴムを、それぞれ両方の耳に引っかけて面体を所定の位置に保持できる。
【００２３】
さらに、連結紐材は、図示しないが、本体シートの両側縁部に独立して設けてなる紐材とすることもできる。この玩具面は、たとえば、面体を顔に装着した状態で、２本の紐材を頭の後ろで結んで、面体を定位置に保持できる。さらに、２本の紐材は、結んで連結することなく先端部分に面ファスナーやホック等の連結具を設けて連結することもできる。先端部分に連結具を設ける紐材は、帯状とすることができる。帯状の紐材は、後頭部に広い面積で接触できる特長がある。帯状の紐材には、不織布を使用することもできる。
【００２４】
以上のように、ゴム紐や紐材である連結紐材７は、たとえば、不織布製の本体シート２の両側縁部に逢着して固定することができる。本体シート２に縫着される連結紐材７は、強固に固定されるので、強く引っ張っても外れにくい特長がある。ただ、連結紐材は、逢着以外の方法、たとえば、接着、溶着、結着等によって本体シートに固定することもできる。
【００２５】
【発明の効果】
本発明の玩具面は、顔に装着したときの感触を良くして快適に使用できると共に、全体を軽くしながら、割れるのを防止して安全に使用できる特長がある。それは、本発明の玩具面が、不織布製の本体シートに不織布製の装飾パーツを固定して面体を構成しているからである。この構造の玩具面は、従来のようにプラスチックで成形することなく、不織布で成形されるので、顔等に装着したときの感触を改善できる。とくに、不織布は通気性に優れているので、通気性を向上して極めて快適に使用できる。しかも、不織布で構成される玩具面は、プラスチックのように割れることがないので、子供であっても安心して安全に使用できる特長がある。さらにまた、不織布で構成される玩具面は、コンパクトに折り畳んで持ち運びできる特長もある。
【図面の簡単な説明】
【図１】本発明の一実施例にかかる玩具面の平面図
【図２】図１に示す玩具面の一部拡大断面図
【図３】本発明の他の実施例にかかる玩具面の分解正面図
【符号の説明】
１…面体
２…本体シート
３…装飾パーツ
４…装着部材
５…背面シート
６…開口部
７…連結紐材
８…貫通孔
９…保護層
【図１】
2004091994.tif 000003
【図２】
2004091994.tif 000004
【図３】
2004091994.tif 000005